【事件の表示】
　上記当事者間の登録第４２９８０８８号商標の商標登録無効審判事件について、次のとおり審決する。
【結　論】
　登録第４２９８０８８号の登録を無効とする。
　審判費用は被請求人の負担とする。
【理　由】
１　本件商標
　本件登録第４２９８０８８商標（以下「本件商標」という。）は、「ＢＥＡＲ」の文字を横書きしてなり、平成８年７月１９日に登録出願、第２５類「被服，履物」を指定商品として、同１１年７月２３日に設定登録されたものである。
　
２　引用商標
　請求人が本件商標の登録無効の理由に引用する登録商標は、以下の２３件であり、いずれの登録商標に係る商標権も現に有効に存続しているものである。
（１）登録第３３３５６９９号商標（以下「引用商標１」という。）は、別掲（１）のとおりの構成よりなり、平成６年１２月１日に登録出願、第２５類「洋服，コート，セーター類，ワイシャツ類，寝巻き類，下着，水泳着，水泳帽，ずきん，すげがさ，ナイトキャップ，ヘルメット，帽子，運動用特殊衣服，運動用特殊靴（「乗馬靴」を除く。）」を指定商品として、同９年８月１日に設定登録されたものである。
（２）登録第３３３５７００号商標（以下「引用商標２」という。）は、別掲（２）のとおりの構成よりなり、平成６年１２月１日に登録出願、第２５類「洋服，コート，セーター類，ワイシャツ類，寝巻き類，下着，水泳着，水泳帽，ずきん，すげがさ，ナイトキャップ，ヘルメット，帽子，運動用特殊衣服，運動用特殊靴（「乗馬靴」を除く。）」を指定商品として、同９年８月１日に設定登録されたものである。
（３）登録第２２７１５６０号商標（以下「引用商標３」という。）は、「ＧＯＬＤＥＮ　ＢＥＡＲ」の文字を横書きしてなり、昭和５９年１１月８日に登録出願、第２２類に属する商標登録原簿記載のとおりの商品を指定商品として、平成２年１０月３１日に設定登録され、その後、指定商品については、平成１４年５月８日の書換登録により第２５類「靴類」となったものである。
（４）登録第３０４２９０７号商標（以下「引用商標４」という。）は、「ミニベアー」と「ＭＩＮＩ　ＢＥＡＲ」の各文字を二段に横書きしてなり、平成４年６月２３日に登録出願、第２１類「なべ類，コーヒー沸かし（電気式又は貴金属製のものを除く），鉄瓶，やかん，食器類（貴金属製のものを除く），アイスペール，泡立て器，こし器，こしょう入れ・砂糖入れ及び塩振り出し容器（貴金属製のものを除く），卵立て（貴金属製のものを除く），ナプキンホルダー及びナプキンリング（貴金属製のものを除く），盆（貴金属製のものを除く），ようじ入れ（貴金属製のものを除く），ざる，シェーカー，しゃもじ，手動式のコーヒー豆ひき器及びこしょうひき，じょうご，すりこぎ，すりばち，ぜん，栓抜き，大根卸し，タルト取分け用へら，なべ敷き，はし，はし箱，ひしゃく，ふるい，まな板，麺棒，焼き網，ようじ，レモン絞り器，ワッフル焼き型（電気式のものを除く），清掃用具及び洗濯用具，携帯用アイスボックス，米びつ，食品保存用ガラス瓶，水筒，魔法瓶，化粧用具（「電気式歯ブラシ」を除く。），電気式歯ブラシ，洋服ブラシ，靴ブラシ，靴べら，靴磨き布，軽便靴クリーナー，シューツリー，ガラス製包装用容器（ガラス製栓・ガラス製ふたを除く），愛玩動物用食器，愛玩動物用ブラシ，犬のおしゃぶり，小鳥かご，小鳥用水盤，紙タオル取り出し用金属製箱，靴脱ぎ器，せっけん用ディスペンサー，寝室用簡易便器，トイレットペーパーホルダー，貯金箱（金属製のものを除く）」を指定商品として、同７年５月３１日に設定登録されたものである。
（５）登録第３１３５７２５号商標（以下「引用商標５」という。）は、「ミニベアー」と「ＭＩＮＩ　ＢＥＡＲ」の各文字を二段に横書きしてなり、平成４年６月２３日に登録出願、第２５類に属する商標登録原簿記載のとおりの商品を指定商品として、同８年３月２９日に設定登録されたものであるが、指定商品については、商標権一部取消し審判により、その一部の指定商品ついて取り消すべき旨の審決がされ（確定の登録は平成１２年２月９日）、「洋服，コート，セーター類，ワイシャツ類，寝巻き類，下着，水泳着，水泳帽，エプロン，えり巻き，靴下，ゲートル，毛皮製ストール，ショール，スカーフ，足袋，足袋カバー，手袋，布製幼児用おしめ，ネクタイ，ネッカチーフ，マフラー，耳覆い，ずきん，すげがさ，ナイトキャップ，ヘルメット，帽子，ガーター，靴下止め，ズボンつり，バンド，ベルト，げた，草履類，運動用特殊衣服，運動用特殊靴（乗馬靴を除く）」となったものである。
（６）登録第３２７０９１５号商標（以下「引用商標６」という。）は、「Ｆａｃｔｏｒｙ Ｂｅａｒ」の文字を横書きしてなり、平成６年８月９日に登録出願、第２６類「編みレース生地，刺しゅうレース生地，組みひも，テープ，房類，リボン，ボタン類，針類，編み棒，裁縫箱，裁縫用へら，裁縫用指抜き，針刺し，針箱（貴金属製のものを除く。），被服用はとめ，衣服用き章（貴金属製のものを除く。），衣服用バッジ（貴金属製のものを除く。），衣服用バックル，衣服用ブローチ，腕止め，帯留め，ボンネットピン（貴金属製のものを除く。），ワッペン，腕章，頭飾品，つけあごひげ，つけ口ひげ，ヘアカーラー（電気式のものを除く。），靴飾り（貴金属製のものを除く。），靴はとめ，靴ひも，靴ひも代用金具，造花，漁網製作用杼」を指定商品として、同９年３月１２日に設定登録されたものである。
（７）登録第４２１８７３３号商標（以下「引用商標７」という。）は、「ＲＥＤ　ＢＥＡＲ」の文字を横書きしてなり、平成５年３月２日に登録出願、第２５類「靴類（「靴合わせくぎ，靴くぎ，靴の引き手，靴びょう，靴保護金具」を除く。），げた，草履類，運動用特殊衣服，運動用特殊靴（「乗馬靴」を除く。）」を指定商品として、同１０年１２月１１日に設定登録されたものである。
（８）登録第２０１６５７４号商標（以下「引用商標８」という。）は、「ＴＨＲＥＥ　ＢＥＡＲＳ」の文字を横書きしてなり、昭和５９年７月４日に登録出願、第２２類「はき物、かさ、つえ、これらの部品及び附属品」を指定商品として、同６３年１月２６日に設定登録されたものである。
（９）登録第２０７２０９０号商標（以下「引用商標９」という。）は、「ＴＨＲＥＥ」と「ＢＥＡＲＳ」の各文字を二段に横書きしてなり、昭和５９年７月４日に登録出願、第２２類「はき物、かさ、つえ、これらの部品および附属品」を指定商品として、同６３年８月２９日に設定登録されたものである。
（１０）登録第２１１１０８７号商標（以下「引用商標１０」という。）は、「ＧＯ！ＧＯ！ＢＥＡＲＳ」の文字及び記号を横書きしてなり、昭和６０年５月３１日に登録出願、第２２類「はき物（運動用特殊靴を除く）かさ、つえ、これらの部品及び附属品」を指定商品として、平成１年２月２１日に設定登録されたものである。
（１１）登録第４０２２７３４号商標（以下「引用商標１１」という。）別掲（３）のとおりの構成よりなり、平成７年６月２９日に登録出願、第２５類「被服，ガーター，靴下止め，ズボンつり，バンド，ベルト，履物，運動用特殊衣服，運動用特殊靴（「乗馬靴」を除く。）」を指定商品として、同９年７月４日に設定登録されたものである。
（１２）登録第４０６２９８４号商標（以下「引用商標１２」という。）は、別掲（４）のとおりの構成よりなり、平成８年２月２７日に登録出願、第２５類「洋服，コート，靴下，スカーフ，手袋，ネクタイ，ネッカチーフ，マフラー，ガーター，靴下止め，ズボンつり，バンド，ベルト，靴類（「靴合わせくぎ，靴くぎ，靴の引き手，靴びょう，靴保護金具」を除く），運動用特殊衣服，運動用特殊靴（「乗馬靴」を除く）」を指定商品として、同９年１０月３日に設定登録されたものである。
（１３）登録第３１８３３０８号商標（以下「引用商標１３」という。）は、別掲（５）のとおりの構成よりなり、平成５年７月６日に登録出願、第２５類「洋服，コート，セーター類，ワイシャツ類，寝巻き類，下着，水泳着，エプロン，えり巻き，靴下，スカーフ，手袋，ネクタイ，ネッカチーフ，マフラー，帽子，バンド，ベルト，靴類（「靴合わせくぎ・靴くぎ・靴の引き手・靴びょう・靴保護金具」を除く。），運動用特殊衣服」を指定商品として、同８年７月３１日に設定登録されたものである。
（１４）登録第３１９９３８５号商標（以下「引用商標１４」という。）は、別掲（６）のとおりの構成よりなり、平成５年８月５日に登録出願、第２５類「洋服，コート，セーター類，ワイシャツ類，寝巻き類，下着，水泳着，エプロン，えり巻き，靴下，スカーフ，手袋，ネクタイ，ネッカチーフ，マフラー，帽子，バンド，ベルト，靴類（「靴合わせくぎ・靴くぎ・靴の引き手・靴びょう・靴保護金具」を除く。），運動用特殊衣服」を指定商品として、同８年９月３０日に設定登録されたものである。
（１５）登録第４０６３０３９号商標（以下「引用商標１５」という。）は、別掲（７）のとおりの構成よりなり、平成８年４月１１日に登録出願、第２５類「被服，ガーター，靴下止め，ズボンつり，バンド，ベルト，履物，運動用特殊衣服，運動用特殊靴」を指定商品として、同９年１０月３日に設定登録されたものである。
（１６）登録第４０６８６２４号商標（以下「引用商標１６」という。）は、別掲（８）のとおりの構成よりなり、平成７年１０月２４日に登録出願、第２１類「ガラス基礎製品（建築用のものを除く。），なべ類，コーヒー沸かし（電気式又は貴金属製のものを除く。），鉄瓶，やかん，食器類（貴金属製のものを除く。），アイスペール，泡立て器，こし器，こしょう入れ・砂糖入れ及び塩振出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜き，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，携帯用アイスボックス，米びつ，食品保存用ガラス瓶，水筒，魔法瓶，家事用手袋，化粧用具（「電気式歯ブラシ」を除く。），電気式歯ブラシ，おけ用ブラシ，金ブラシ，管用ブラシ，工業用はけ，船舶ブラシ，ブラシ用豚毛，洋服ブラシ，靴ブラシ，靴べら，靴磨き布，軽便靴クリーナー，シューツリー，ガラス製包装用容器（「ガラス製栓・ガラス製ふた」を除く。），陶磁製包装用容器，ガラス製栓，ガラス製ふた，かいばおけ，家禽用リング，アイロン台，霧吹き，こて台，へら台，愛玩動物用食器，愛玩動物用ブラシ，犬のおしゃぶり，小鳥かご，小鳥用水盤，植木鉢，家庭園芸用の水耕式植物栽培器，じょうろ，家庭用燃え殻ふるい，石炭入れ，紙タオル取出し用金属製箱，靴脱ぎ器，せっけん用ディスペンサー，寝室用簡易便器，トイレットペーパーホルダー，貯金箱（金属製のものを除く。），ねずみ取り器，はえたたき，湯かき棒，浴室用腰掛け，浴室用手おけ，ろうそく消し及びろうそく立て（貴金属製のものを除く。），花瓶及び水盤（貴金属製のものを除く。），風鈴，ガラス製又は磁器製の立て看板，香炉，コッフェル」を指定商品として、同９年１０月１７日に設定登録されたものである。
（１７）登録第４０７４９３７号商標（以下「引用商標１７」という。）は、別掲（９）のとおりの構成よりなり、平成８年６月１４日に登録出願、第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，マフラー，耳覆い，ずきん，すげがさ，ナイトキャップ，ヘルメット，帽子，ガーター，靴下止め，ズボンつり，バンド，ベルト，靴類，げた，草履類，運動用特殊衣服，運動用特殊靴（「乗馬靴」を除く），乗馬靴」を指定商品として、同９年１０月２４日に設定登録されたものである。
（１８）登録第３３６４３００号商標（以下「引用商標１８」という。）は、別掲（１０）のとおりの構成よりなり、平成６年１２月２日に登録出願、第２１類「ガラス基礎製品（建築用のものを除く。），なべ類，コーヒー沸かし（電気式又は貴金属製のものを除く。），鉄瓶，やかん，食器類（貴金属製のものを除く。），アイスペール，泡立て器，こし器，こしょう入れ（貴金属製のものを除く。），砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜き，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，携帯用アイスボックス，米びつ，食品保存用ガラス瓶，水筒，魔法瓶，家事用手袋，化粧用具（「電気式歯ブラシ」を除く。），電気式歯ブラシ，おけ用ブラシ，金ブラシ，管用ブラシ，工業用はけ，船舶ブラシ，ブラシ用豚毛，洋服ブラシ，靴ブラシ，靴べら，靴磨き布，軽便靴クリーナー，シューツリー，ガラス製包装用容器（「ガラス製栓・ガラス製ふた」を除く。），陶磁製包装用容器，ガラス製栓，ガラス製ふた，かいばおけ，家禽用リング，アイロン台，霧吹き，こて台，へら台，愛玩動物用食器，愛玩動物用ブラシ，犬のおしゃぶり，小鳥かご，小鳥用水盤，植木鉢，家庭園芸用の水耕式植物栽培器，じょうろ，家庭用燃え殻ふるい，石炭入れ，紙タオル取り出し用金属製箱，靴脱ぎ器，せっけん用ディスペンサー，寝室用簡易便器，トイレットペーパーホルダー，貯金箱（金属製のものを除く。），ねずみ取り器，はえたたき，湯かき棒，浴室用腰掛け，浴室用手おけ，ろうそく消し及びろうそく立て（貴金属製のものを除く。），花瓶及び水盤（貴金属製のものを除く。），風鈴，ガラス製又は磁器製の立て看板，香炉，コッフェル」を指定商品として、同９年１２月５日に設定登録されたものである。
（１９）登録第３２６２０２３号商標（以下「引用商標１９」という。）は、「ＢＥＡＲ’Ｓ ＣＯＬＬＥＣＴＩＯＮ」の文字を横書きしてなり、平成６年１０月１３日に登録出願、第２５類「被服，ベルト，履物」を指定商品として、同９年２月２４日に設定登録されたものである。
（２０）登録第４０４３８２４号商標（以下「引用商標２０」という。）は、「ＢＥＡＲ’Ｓ ＦＡＭＩＬＹ」と「ベアーズ ファミリー」の各文字を二段に横書きしてなり、平成８年１月３１日に登録出願、第２５類「被服（和服を除く），ガーター，靴下止め，ズボンつり，バンド，ベルト，履物，運動用特殊衣服，運動用特殊靴」を指定商品として、同９年８月１５日に設定登録されたものである。
（２１）登録第４０５３６０４号商標（以下「引用商標２１」という。）は、「ＢＥＡＲＦＯＯＴＴＯＷＮ」と「ベアーフットタウン」の各文字を二段に横書きしてなり、平成８年３月２２日に登録出願、第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，マフラー，耳覆い，ずきん，すげがさ，ナイトキャップ，ヘルメット，帽子，ガーター，靴下止め，ズボンつり，バンド，ベルト，靴類（「靴合わせくぎ・靴くぎ・靴の引き手・靴びょう・靴保護金具」を除く。），げた，草履類，運動用特殊衣服，運動用特殊靴（「乗馬靴」を除く。）」を指定商品として、同９年９月５日に設定登録されたものである。
（２２）登録第３３７１３５７号商標（以下「引用商標２２」という。）は、「ＢＥＡＲＳＮＯＷＢＯＡＲＤＳ」と「ベアースノーボード」の各文字を二段に横書きしてなり、平成６年１２月２２日に登録出願、第２５類「洋服，コート，セーター類，ワイシャツ類，寝巻き類，下着，水泳着，和服，エプロン，えり巻き，靴下，ショール，スカーフ，手袋，ネクタイ，ネッカチーフ，マフラー，帽子，バンド，ベルト，靴類（「靴合わせくぎ，靴くぎ，靴の引き手，靴びょう，靴保護金具」を除く。），げた，草履類，運動用特殊衣服，運動用特殊靴（「乗馬靴」を除く。）」を指定商品として、同１２年２月２５日に設定登録されたものである。
（２３）登録第４３７１２２６号商標（以下「引用商標２３」という。）は、別掲（１１）のとおりの構成よりなり、平成６年９月２１日に登録出願、第２５類「洋服，コート，セーター類，ワイシャツ類，寝巻き類，下着，水泳着，和服，エプロン，えり巻き，靴下，ショール，スカーフ，手袋，ネクタイ，ネッカチーフ，マフラー，帽子，バンド，ベルト，靴類（「靴合わせくぎ，靴くぎ，靴の引き手，靴びょう，靴保護金具」を除く。），げた，草履類，運動用特殊衣服，運動用特殊靴（「乗馬靴」を除く。）」を指定商品として、同１２年３月３１日に設定登録されたものである。
　
３　請求人の主張
　請求人は、結論同旨の審決を求めると申し立て、その理由を要旨次のように述べ、証拠方法として、甲第１号証ないし甲第４号証を提出した。
（１）主位的請求−商標法第３条第１項第６号違反
　本件商標は、「ＢＥＡＲ」の文字を横書きしてなるものであるところ、日本人の通常の英語力を基準とすれば、「ＢＥＡＲ」が英語で熊を意味し、「ベアー」と発音されるものであると理解されることが明らかであるから、「ベアー」との称呼及び「熊」の観念を生じるものである。
　ところで、熊は、犬や猫、虎（タイガー）、獅子（ライオン）、きりん、象、かば、わに、猿などの動物と同様に、日本人にとってよく知られた動物であり、本件商標の指定商品である「被服、履物」の分野において、これらの動物名を使った標章が好んで多用されていることは公知の事実である。このうち「ベアー」との称呼ないし「熊」の観念を生じさせるものに限っても、極めて多数の標章が独立の商標として登録され、実際に使用されている。このような実情に照らせば、被服等の市場においては、単なる「ベアー」の称呼や「熊」の観念のみによっては自他商品を識別することが困難であるというべきであり、簡単でありふれた「ＢＥＡＲ」の文字のみから構成される本件商標が自他商品の識別機能を有しないことは明らかである（甲第３号証「平成１５年（行ケ）第４２号」、甲第１、２号証「平成１３年（行ケ）第３９５号、同第３９６号」、甲第４号証「平成１２年（ネ）第６２５２号」各判決参照）。
　よって、本件商標は、自他商品の識別機能がなく、需要者が何人かの業務に係る商品であることを認識することができないものであるから、本件商標は、商標法第３条第１項第６号に違反して登録されたものである。
（２）予備的請求−商標法第４条第１項第１１号違反
　各引用商標は、それぞれ別掲又は前記のとおりの構成よりなるものであり、日本人の通常の英語力を基準とし、あるいは文字、図形及び全体の構成に鑑みれば、いずれの商標も「ベアー（熊）」の称呼及び観念が生じるということができる。
　本件商標は、前記１で述べたとおり、「ＢＥＡＲ」の文字のみからなり、「ベアー」との称呼及び「熊」の観念を生ずるものであるから、各引用商標のいずれについても称呼及び観念の上で共通し、類似の商標であるというべきである。
　また、本件商標の指定商品及び各引用商標の指定商品は、それぞれ前記のとおりであるから、本件商標は、各引用商標の指定商品と同一又は類似する商品について使用するものであるということができる。
　したがって、本件商標は、商標法第４条第１項第１１号に違反して登録されたものである。
（３）以上のとおり、本件商標は、商標法第３条第１項第６号に違反して登録されたものであるから、同法第４６条第１項の規定によりその登録を無効とすべきである。
　また、仮に商標法第３条第１項第６号に違反して登録されたものでないとしても、本件商標は、同法第４条第１項第１１号に違反して登録されたものであるから、同法第４６条第１項の規定によりその登録を無効とすべきである。
　
４　被請求人の答弁
　被請求人は、「本件審判の請求は成り立たない。審判費用は請求人の負担とする。」との審決を求めると答弁し、その理由を要旨次のように述べ、証拠方法として、乙第１号証ないし乙第１３号証（枝番を含む。）を提出した。
（１）主位的請求−商標法第３条第１項第６号違反について
　（ア）「ＢＥＡＲ」の文字と他の文字若しくは図形が結合された商標が多く登録され、使用されることがあるとしても、それらのほとんどは、「ＢＥＡＲ」の文字よりなる本件商標とは非類似の商標として登録され、使用されているものであるから、「ＢＥＡＲ」、「ベアー」が他の文字若しくは図形と結合した商標が多く登録され使用されていることをもって、「ＢＥＡＲ」それ自体が需要者が何人かの業務に係る商品であることを認識することができない商標ということができないものである。
　（イ）本件商標の指定商品の商品分野のみならず、各種商品の分野において、犬、猫、熊、パンダ、象、ライオン、虎等の日常生活において親しまれている動物の名称や図柄を用いた商標及びこれらと他の文字又は図形とを結合した商標が好んで多く採択され、登録され、それが使用されていることは広く知られているところである。
　また、外国語若しくは外国語に由来する文字の商標及びこれらと他の文字とを結合した商標も多く採択され、登録され、それが使用されていることは広く知られているところである。
　そして、動物の名称や図柄及び外国語若しくは外国語に由来する文字の商標と、これらに他の文字又は図形とを結合した商標とは、特段の理由がない限りそれぞれ非類似の商標として登録され、使用され、それぞれが自他商品識別標識としての機能を果たしているものである（乙第１号証の１ないし乙第５号証の１０）。
　そもそも、商標において、需要者が何人かの業務に係る商品であることを認識することができない商標とは、その商標が単独で、多くの者によって普通にありふれて使用されている事情がある場合又はその商標が多くの者によって他の語と結合して普通名称、原材料、効能、品位、等級、用途等の品質表示として普通に用いられている事情がある場合若しくは商品等の標語として普通一般に使用されている事情がある場合、地模様又は標語であって、それ自体が自他商品を識別するための標識とは認識し得ないもの等をいうと解されるところ、本件商標「ＢＥＡＲ」については、上記の如き事情があるとはいえないことからすれば、需要者が何人かの業務に係る商品であることを認識することができない標章とはいえないものである。
　（ウ）むすび
　したがって、本件商標は、需要者が何人かの業務に係る商品であることを充分に認識し得るものであり、商標法第３条第１項第６号に違反して登録されたものでないから、同法第４６条第１項によりその登録を無効にされるべきものでないというのが相当である。
（２）予備的請求−商標法第４条第１項第１１号違反について
　（ア）本件商標と引用商標１及び引用商標２の類否について
　本件商標と引用商標１及び引用商標２とは、「ベアー（熊）」の称呼、観念において共通する点があるとしても、両商標は、外観において顕著な差異を有するものであり、かつ、被服等の取引分野において、「ＢＥＡＲ」、「Ｂｅａｒ」、「ベアー（熊）」等の文字を含む商標が多数登録され、使用されて、それぞれが識別されているという実情をも総合勘案すれば、本件商標と引用商標１及び引用商標２とは、出所混同のおそれがあるほどに類似の商標とはいえないというのが相当である（最高裁昭和３９年（行ツ）第１１０号判決参照）。
　請求人は、引用商標１及び引用商標２並びにこれらと同一の構成よりなる商標の審査段階において、引用商標１よりは「ベアースノーボーズ」又は「スノーベアーボーズ」の称呼を生じ、引用商２標よりは「ベアーサーフボーズ」又は「サーフベアーボーズ」の称呼を生じるものであって、「ベア一」等の称呼は生じない旨主張し、上記商標の登録が認められたものである（乙第６ないし１１号証）。
　さらに、引用商標１及び引用商標２の登録無効審判事件及びその審決取消請求事件においても、同様の趣旨の主張をしているものである（乙第１２、１３号証）。
　しかるに、請求人は、本件審判の請求理由において、引用商標１及び引用商標２よりは「ベアー」との称呼及び「熊」の観念を生じるものであるとの主張をし、前記主張に反する主張をしているものであるから、「禁反言」の法理に反し許されないというべきものである。
　よって、引用商標１及び引用商標２を引用して、本件商標は商標法第４条第１項第１１号に違反して登録されたとする請求人の主張は、却下されるべきものである。
　（イ）本件商標と引用商標３ないし引用商標２２との類否
　引用商標３ないし引用商標２２は、それぞれの構成に相応して、単に「ベアー」の称呼及び「熊」の観念は生じないものであるから、「ベアー」の称呼及び「熊」の観念を生ずる本件商標とは、称呼及び観念において類似するものではなく、また、外観上も相違するものである。
　したがって、本件商標と引用商標３ないし引用商標２２は、非類似の商標である。
　（ウ）本件商標と引用商標２３との類否
　引用商標２３は、その構成に相応して「ベアーサーフボード」の称呼を生じ、「熊のサーフボード」の如き意味合いを認識されるものである。
　また、引用商標２３は、その構成中の熊の図形から生ずる「ベアー（熊）」の称呼、観念が本件商標より生ずる称呼、観念と共通するものであるとしても、上記（１）で述べた本件商標と引用商標１及び引用商標２の類否判断と同様、出所混同のおそれがあるほどに類似の商標とはいえないというのが相当である。
　（エ）むすび
　以上述べたとおり、本件商標と引用商標１ないし引用商標２３とは、互いに相紛れるおそれのない非類似の商標であるから、本件商標は、商標法第４条第１項第１１号に違反して登録されたものでなく、同法第４６条第１項により無効とされるべきでない。
　
５　当審の判断
（１）本件商標の自他商品の識別機能について
　本件商標は、「ＢＥＡＲ」の文字を横書きしてなるところ、「ＢＥＡＲ」の語が「熊」を意味する英単語であることは、「被服、履物」の分野における需要者の間においても十分理解されるものとみるのが相当である。
　そして、熊ないしＢＥＡＲは、動物の中でも、犬や猫、あるいは、虎（ＴＩＧＥＲ）、獅子（ＬＩＯＮ）、きりん、象、かば、わに、猿などの動物と同様に、一般の日本人がよく知っている動物であり、本件商標の登録査定日である平成１１年６月ころには、「被服、履物」の分野において、このようによく知られている動物である熊を意味する英語の「ｂｅａｒ」あるいはこれを単に片仮名表記したにすぎない「ベアー」の文字をその構成の一部とする商標登録が極めて多数あり、これらの登録状況からすると、極めて多数の商標が取引の実際において使用されていたことを窺い知ることができる。
　「被服、履物」と同一又は類似する商品分野における登録商標の一例を示せば、請求人が本件商標の登録無効の理由に引用した「ＢＥＡＲ／ＳＮＯＷ　ＢＯＡＲＤＳ」、「ＢＥＡＲ／ＳＵＲＦ　ＢＯＡＲＤＳ」、「ＧＯＬＤＥＮ　ＢＥＡＲ」、「ミニベアー／ＭＩＮＩ　ＢＥＡＲ」、「Ｆａｃｔｏｒｙ　Ｂｅａｒ」、「ＲＥＤ　ＢＥＡＲ」、「ＴＨＲＥＥ　ＢＥＡＲＳ」、「ＴＨＲＥＥ／ＢＥＡＲＳ」、「ＧＯ！ＧＯ！ＢＥＡＲＳ」、「ＢＯＳＳＢＥＡＲ」、「ＣＡＬ　Ｂｅａｒ」、「ＲＡＧ　ＤＯＬＬ　Ｂ．Ｊ　ＢＥＡＲ」、「ＦＯＲＥＳＴ　ＯＦ　ＢＥＡＲ」、「ＴＨＥ　ＢＥＲＥＮＳＴＡＩＮ　ＢＥＡＲＳ」、「ＲＡＧＧＥＲ　ＢＥＡＲ／ラガーベアー」、「ＢＥＡＲＨＯＬＩＣ」、「Ｂｅａｒ　ｗｉｔｈ　Ｍｅ／ＢＥＡＲ’ＳＭＵＳＥＵＭ／ベアーズミュージアム」、「ＢＥＡＲ’Ｓ　ＣＯＬＬＥＣＴＩＯＮ」、「ＢＥＡＲ’Ｓ　ＦＡＭＩＬＹ／ベアーズファミリー」、「ＢＥＡＲＦＯＯＴＴＯＷＮ／ベアーフットタウン」、「ＢＥＡＲＳＮＯＷＢＯＡＲＤＳ／ベアースノーボード」、「ＢＥＡＲ　ＳＵＲＦ　ＢＯＡＲＤＳ」（図形や付記的文字などは省略した。）を挙げることができる。
　上記本件商標の指定商品の分野における事情からすれば、簡単で、かつ、ありふれた英単語である「ＢＥＡＲ」のみからなる本件商標は、これをその指定商品について使用しても、自他商品の識別標識としての機能を有しない商標というべきである。
　すなわち、商品「被服、履物」の分野においては、日本人によく知られた動物の名前である「ＢＥＡＲ」又は「ベアー」の文字だけでは足りず、これに他の文字あるいは図形を結合させた標章とすることによって初めて自他商品を識別する機能を生じさせることが可能となるのであり、本件商標が、使用の結果、自他商品の識別力を獲得した等の特段の事情がない限り、商標法第３条第１項第６号に該当し、商標登録を受けることができないものであると解すべきである。
　そして、被請求人の提出した全証拠を検討しても、本件商標について、被請求人による使用の結果、自他商品の識別機能を有する商標となったという特段の事情は、認めることができない。
　したがって、本件商標は、もともと、簡単でありふれた動物の名称を単に英単語をもって表したものにすぎず、平成１１年６月ころに、被請求人の使用により、自他商品識別機能が付加されたとの特段の事情もないことからすれば、商標法第３条第１項第６号でいう「需要者が何人かの業務に係る商品であることを認識することがでない商標」に該当するものであるというべきである。
（２）むすび
　以上のとおり、本件商標は、商標法第３条第１項第６号に違反して登録されたものであるから、その余の無効理由について判断するまでもなく、同法第４６条第１項の規定により、その登録を無効とすべきである。
　よって、結論のとおり審決する。